(57)【要約】【課題】  連続鋳造される金属シートの品質をより向上させる技術を提供する。【解決手段】  タンデッシュ２０は、一対のローラ１５、１６間に供給する溶湯２７が入れられる容器部１４と、容器部１４に連通している溶湯供給流路２４と、溶湯供給流路２４に介装されており、溶湯が通過する複数の貫通孔が形成されている少なくとも１つの板状部材２２とを備えている。  このタンデッシュ２０によれば、溶湯２７は、板状部材２２に形成されている複数の貫通孔を通過することによって流れの乱れが抑制される。流れの乱れが抑制された溶湯２７を一対のローラ１５、１６間に供給すると、連続鋳造される金属シート３０の品質が向上する。【選択図】  図１
2006263802.tif 000002
【特許請求の範囲】
【請求項１】
一対のローラ間に供給する溶湯が入れられる容器部と、
容器部に連通している溶湯供給流路と、
溶湯供給流路に介装されており、溶湯が通過する複数の貫通孔が形成されている少なくとも１つの板状部材と、
を備えているタンデッシュ。
【請求項２】
板状部材の所定部分を加熱するヒータを備えていることを特徴とする請求項１のタンデッシュ。
【請求項３】
タンデッシュから一対のローラ間に供給する溶湯が流れる溶湯流路と、
溶湯流路に介装されており、溶湯が通過する複数の貫通孔が形成されている少なくとも１つの板状部材と、
を備えている溶湯供給ノズル。
【請求項４】
板状部材の所定部分を加熱するヒータを備えていることを特徴とする請求項３の溶湯供給ノズル。
【発明の詳細な説明】
【技術分野】
【０００１】
本発明は、連続鋳造装置に用いられるタンデッシュと溶湯供給ノズルに関するものである。
【背景技術】
【０００２】
タンデッシュに流し込まれた溶湯を、溶湯供給ノズルで一対のローラ間に供給し、金属シートを連続鋳造する技術が知られている。溶湯は、タンデッシュに流し込まれ、かつ溶湯供給ノズルを通過することによって、流れが大きく乱れた状態で一対のローラ間に供給される。流れが大きく乱れた溶湯は、温度分布が均一にならない。溶湯の温度分布が均一にならないと、鋳造する金属シートの品質が低下してしまう。
特許文献１には、溶湯供給ノズル内に複数の分流板を設ける技術が開示されている。分流板を設けることによって、溶湯の流れの乱れが抑制され、鋳造する金属シートの品質が向上すると記載されている。
【０００３】
【特許文献１】特開平１１−１７９４９６号公報
【発明の開示】
【発明が解決しようとする課題】
【０００４】
しかしながら、特許文献１に開示されている技術では、溶湯の流れの乱れを充分に抑制できない。このため、鋳造される金属シートの品質もそれほど向上しない。
本発明は、その問題を解決するためになされたものであり、鋳造される金属シートの品質をより向上させる技術を提供することを課題とする。
【課題を解決するための手段】
【０００５】
本発明が提供するタンデッシュは、一対のローラ間に供給する溶湯が入れられる容器部と、容器部に連通している溶湯供給流路と、溶湯供給流路に介装されており、溶湯が通過する複数の貫通孔が形成されている少なくとも１つの板状部材とを備えている。
このタンデッシュによれば、溶湯は、板状部材に形成されている複数の貫通孔を通過することによって流れの乱れが抑制される。流れの乱れが抑制された溶湯を一対のローラ間に供給すると、鋳造される金属シートの品質が向上する。
【０００６】
上記のタンデッシュでは、板状部材の所定部分を加熱するヒータを備えていることが好ましい。
板状部材の所定部分を加熱するヒータを備えていると、一対のローラ間に供給する溶湯の温度分布をより均一にすることができる。
【０００７】
本発明の溶湯供給ノズルは、タンデッシュから一対のローラ間に供給する溶湯が流れる溶湯流路と、溶湯流路に介装されており、溶湯が通過する複数の貫通孔が形成されている少なくとも１つの板状部材とを備えている。
溶湯が板状部材の複数の貫通孔を通過すると、溶湯の流れの乱れが抑制される。流れの乱れが抑制された溶湯を一対のローラ間に供給すると、鋳造される金属シートの品質を向上させることができる。
【０００８】
上記の溶湯供給ノズルでは、板状部材の所定部分を加熱するヒータを備えていることが好ましい。
このようなヒータを備えていると、一対のローラ間に供給する溶湯の温度分布をより均一にすることができる。
【発明の効果】
【０００９】
本発明によれば、連続鋳造される金属シートの品質をより向上させることができる。
【発明を実施するための最良の形態】
【００１０】
後述する実施例の主要な特徴を記載する。
（１）連続鋳造装置は、タンデッシュと、溶湯供給ノズルと、一対のローラを備えている。タンデッシュは、溶湯収容部と、溶湯収容部に連通する出口部と、出口部内に装着されている第１整流板を有している。第１整流板は、矩形板状に形成されており、複数の円形状の貫通孔が設けられている。
（２）溶湯供給ノズル内には、第２整流板が装着されている。第２整流板は、第１整流板と同形状に形成されている。
【実施例】
【００１１】
連続鋳造装置について、図面を参照しながら説明する。
図１に示すように、連続鋳造装置１２は、タンデッシュ２０、溶湯供給ノズル２１、一対のローラ１５、１６を備えている。図２に示すように、タンデッシュ２０は、上部が開放されている溶湯収容部（容器部）１４と、溶湯収容部１４から水平方向に突出する出口部（溶湯供給流路）２４と、出口部２４内に装着されている第１整流板２２（図１参照）を有している。タンデッシュ２０の溶湯収容部１４は、出口部２４によって溶湯供給ノズル２１と連通している。図３に示すように、第１整流板２２は、矩形板状に形成されており、複数の円形状の貫通孔２６が設けられている。図１、図２に示すように、溶湯供給ノズル２１内には、第２整流板２３が装着されている。第２整流板２３は、第１整流板２２と同形状に形成されている。第１整流板２２の貫通孔２６と第２整流板２３の貫通孔２６は、軸が一致している。第１整流板２２は、複数設けることもできる。同様に、第２整流板２３も複数設けることができる。
ローラ１５、１６は、所定の間隙が設けられた状態で、外周部が溶湯供給ノズル２１と摺接するように配置されており、駆動機構（図示省略）によって、図１に示す矢印方向に回転駆動される。ローラ１５、１６は、内部に設けられた水路を通過する冷却水によって冷却されている。
タンデッシュ２０の溶湯収容部１４には、溶湯２７（例えば、溶融したアルミ）が流し込まれる。溶湯２７は、タンデッシュ２０の溶湯収容部１４から、出口部２４と溶湯供給ノズル２１を流れて、ローラ１５とローラ１６の間に供給される。そのときに、溶湯２７は、第１整流板２２の貫通孔２６と、第２整流板２３の貫通孔２６を通過する。ローラ１５、１６は、溶湯２７を、冷却して固化させながら圧延し、金属シート３０を連続鋳造する。
【００１２】
第１整流板２２と第２整流板２３が設けられていない場合を想定する。その場合には、ローラ１５、１６に供給される溶湯２７は、タンデッシュ２０の溶湯収容部１４に流し込まれることと、タンデッシュ２０の出口部２４と溶湯供給ノズル２１を通過することによって、流れが大きく乱れる（強く渦巻く）。溶湯２７の流れが大きく乱れると、ローラ１５とローラ１６の間に供給される溶湯２７の温度分布が均一にならない。溶湯２７の温度分布が均一にならないと、ローラ１５、１６によって圧延されるときの溶湯２７の固さが幅方向（ローラ１５、１６の軸方向）に沿って均一にならない。このため、圧延過重が部分的に異なってしまい、金属シート３０の品質が低下してしまう。
本実施例の連続鋳造装置１２は、ローラ１５とローラ１６の間に供給される溶湯２７が、第１整流板２２と第２整流板２３の貫通孔２６を通過する。このため、溶湯２７の流れの乱れが抑制され（整流され）、温度分布が均一な溶湯２７がローラ１５、１６の間に供給される。従って、溶湯２７は、どの部分も均等な圧延過重で圧延される。よって、金属シート３０の品質が向上する。
【００１３】
整流板２２、２３の材質は、耐熱性と加工性に優れるとともに、熱膨張率が小さいものが好ましい（例えば、カーボン）。
図４に示すように、整流板２２、２３を一方部３２、中央部３３、他方部３４から構成し、一方部３２と他方部３４にヒータ（例えば、電気ヒータ）を内蔵することもできる。タンデッシュ２０の出口部２４の側部と、溶湯供給ノズル２１の側部を流れる溶湯２７は、外部に熱が伝わりやすいために、中央部を流れる溶湯２７よりも温度が低下する。整流板２２、２３の一方部３２と他方部３４にヒータを内蔵して発熱させることにより、溶湯２７の温度分布をより均一にすることができる。よって、金属シート３０の品質がより向上する。もちろん、ヒータを設ける部位は、上述した一方部３２や他方部３４に限られるものではない。また、整流板２２、２３の所定部位を冷却することにより、溶湯２７の温度分布を均一にすることもできる。
図５に示すように、第１整流板２２と第２整流板２３の貫通孔２６を、溶湯２７の流れ直角方向に、互い違いに配置することもできる。
【００１４】
以上、本発明の具体例を詳細に説明したが、これらは例示にすぎず、特許請求の範囲を限定するものではない。特許請求の範囲に記載の技術には、以上に例示した具体例を様々に変形、変更したものが含まれる。
また、本明細書または図面に説明した技術要素は、単独であるいは各種の組合せによって技術的有用性を発揮するものであり、出願時の請求項に記載の組合せに限定されるものではない。また、本明細書または図面に例示した技術は複数目的を同時に達成するものであり、そのうちの一つの目的を達成すること自体で技術的有用性を持つものである。
【図面の簡単な説明】
【００１５】
【図１】連続鋳造装置の断面図。
【図２】タンデッシュと溶湯供給ノズルの斜視図。
【図３】整流板の斜視図。
【図４】整流板の斜視図。
【図５】タンデッシュの出口部と溶湯供給ノズルの断面図。
【符号の説明】
【００１６】
１２：連続鋳造装置
１４：溶湯収容部
１５、１６：ローラ
２０：タンデッシュ
２１：溶湯供給ノズル
２２：第１整流板
２３：第２整流板
２４：出口部
２６：貫通孔
２７：溶湯
３０：金属シート
３２：一方部
３３：中央部
３４：他方部
【図１】
2006263802.tif 000003
【図２】
2006263802.tif 000004
【図３】
2006263802.tif 000005
【図４】
2006263802.tif 000006
【図５】
2006263802.tif 000007